(57)【特許請求の範囲】
【請求項１】
ＭＤ（ミニディスク）である第１のディスク回転用の第１のターンテーブルを上面に設けた下部ケース上に、
８ｃｍＣＤ（コンパクトディスク）である第２のディスク回転用の第２のターンテーブルを備えて昇降自在で、下降すると前記第２のターンテーブルが前記第１のターンテーブルに重なり、上昇すると前記第２のターンテーブルが前記第１のターンテーブルから上方に分離される第２のターンテーブルメカ部、
第２のディスク押さえ用のクランパを有するクランパメカ部、
第１のディスク保持用のカートリッジホルダが設けられ、
前記カートリッジホルダに、装置外部の操作つまみに連結されたスライダが取付けられ、このスライダのスライド状態に応じて前記第２のターンテーブルメカ部、前記クランパメカ部、前記カートリッジホルダが操作されることにより、第１のディスク再生状態あるいは第２のディスク再生状態に前記第２のターンテーブルメカ部、前記クランパメカ部、前記カートリッジホルダが切替え設定されることを特徴とするディスク再生装置。
【請求項２】
前記スライダには、第２のターンテーブルメカ昇降部、第２のターンテーブルメカ引掛け部およびクランパ押し部が形成されることを特徴とする請求項１に記載のディスク再生装置。
【請求項３】
前記第２のターンテーブルメカ部は前記スライダの前記第２のターンテーブルメカ昇降部に係合され、前記スライダのスライドに伴い昇降することを特徴とする請求項２に記載のディスク再生装置。
【請求項４】
前記第２のターンテーブルメカ部は前記第２のターンテーブルを含む主要部が上方に回動自在であり、前記スライダが第１の状態にスライドされて第２のターンテーブルメカ部が上昇したとき、同時にスライダに形成された前記第２のターンテーブルメカ引掛け部が前記第２のターンテーブルメカ部の主要部に係合される状態となり、その状態で前記カートリッジホルダが上方に回動されると、前記第２のターンテーブルメカ引掛け部により、前記カートリッジホルダと一体に前記第２のターンテーブルメカ部の主要部が上方に回動されることを特徴とする請求項２または３に記載のディスク再生装置。
【請求項５】
前記カートリッジホルダは前記下部ケース上に前記第２のターンテーブルメカ部を間に挟んで上下方向に回動自在に設けられ、カートリッジホルダの一部は他部に対して外側にスライド可能で、その一部は前記スライダに連結され、このスライダが第２の状態にスライドされると前記一部は、第２のターンテーブルに装着される第２のディスクに対して障害とならないように外側にスライドされることを特徴とする請求項２ないし４のいずれかに記載のディスク再生装置。
【請求項６】
前記クランパメカ部は前記カートリッジホルダの上面部下面に上下方向に回動自在に取付けられ、バネによりカートリッジホルダ側（上方）に回動される一方、前記スライダが第２の状態にスライドされると、そのスライダに形成された前記クランパ押し部により下方に押し下げられることを特徴とする請求項２ないし５のいずれかに記載のディスク再生装置。
【請求項７】
前記第２のターンテーブルメカ部の主要部は、上昇すると、上方に位置する前記カートリッジホルダの上面部内側に形成された収容部に、同カートリッジホルダによる第１のディスク保持に対して障害とならないように格納され、前記クランパメカ部はバネによりカートリッジホルダ側に回動されると前記収容部に格納されることを特徴とする請求項２ないし６のいずれかに記載のディスク再生装置。
【発明の詳細な説明】
【０００１】
【発明の属する技術分野】
本発明は、ディスク再生装置に関する。
【０００２】
【従来の技術】
高音質、小型、軽量などの利点からポータブル型のＣＤプレーヤやＭＤプレーヤが広く普及している。これらのプレーヤは、対応するディスク、すなわちＣＤプレーヤはＣＤ（コンパクトディスク）、ＭＤプレーヤはＭＤ（ミニディスク）を再生できるが、１つのディスク再生装置でＣＤおよびＭＤの両方を再生できればなお便利である。
【０００３】
ＣＤ（８ｃｍＣＤ）とＭＤの両方を再生できるディスク再生装置としては、図８に示すように、下部ケース８１上にＭＤ用ターンテーブル８２とＣＤ用ターンテーブル８３とを左右に並べて配置し、この２つのターンテーブル８２，８３間に光ピックアップ８４を設けたものが考えられる。
【０００４】
このディスク再生装置では、下部ケース８１上の片側（図８では左側）でＭＤ用ターンテーブル８２にＭＤを装着してＭＤを再生でき、下部ケース８１上の反対側（図８では右側）ではＣＤ用ターンテーブル８３にＣＤを装着してＣＤを再生できる。
【０００５】
【発明が解決しようとする課題】
しかしながら、上記のようなディスク再生装置では、ＭＤとＣＤとを左右に並べて配置する構造であるから、平面面積が大きくなり、装置が大型化する問題点がある。これは、ポータブル型のディスク再生装置を考えた場合、大きなデメリットである。また、ターンテーブルを回転させるモータが２個必要になり、コストアップの問題点がある。
【０００６】
本発明は上記の点に鑑みなされたもので、平面面積を小さくして小型化を図ることができ、かつコストダウンを図ることができるディスク再生装置を提供することを目的とする。
【０００８】
【課題を解決するための手段】
本発明のディスク再生装置は、ＭＤ（ミニディスク）である第１のディスク回転用の第１のターンテーブルを上面に設けた下部ケース上に、８ｃｍＣＤ（コンパクトディスク）である第２のディスク回転用の第２のターンテーブルを備えて昇降自在で、下降すると前記第２のターンテーブルが前記第１のターンテーブルに重なり、上昇すると前記第２のターンテーブルが前記第１のターンテーブルから上方に分離される第２のターンテーブルメカ部、第２のディスク押さえ用のクランパを有するクランパメカ部、第１のディスク保持用のカートリッジホルダが設けられ、前記カートリッジホルダに、装置外部の操作つまみに連結されたスライダが取付けられ、このスライダのスライド状態に応じて前記第２のターンテーブルメカ部、前記クランパメカ部、前記カートリッジホルダが操作されることにより、第１のディスク再生状態あるいは第２のディスク再生状態に前記第２のターンテーブルメカ部、前記クランパメカ部、前記カートリッジホルダが切替え設定されることを特徴とする。
【０００９】
上記のディスク再生装置において、前記スライダには、第２のターンテーブルメカ昇降部、第２のターンテーブルメカ引掛け部およびクランパ押し部が形成される。また、前記第２のターンテーブルメカ部は前記スライダの前記第２のターンテーブルメカ昇降部に係合され、前記スライダのスライドに伴い昇降する。さらに、前記第２のターンテーブルメカ部は前記第２のターンテーブルを含む主要部が上方に回動自在であり、前記スライダが第１の状態にスライドされて第２のターンテーブルメカ部が上昇したとき、同時にスライダに形成された前記第２のターンテーブルメカ引掛け部が前記第２のターンテーブルメカ部の主要部に係合される状態となり、その状態で前記カートリッジホルダが上方に回動されると、前記第２のターンテーブルメカ引掛け部により、前記カートリッジホルダと一体に前記第２のターンテーブルメカ部の主要部が上方に回動される。
【００１０】
また、前記カートリッジホルダは前記下部ケース上に前記第２のターンテーブルメカ部を間に挟んで上下方向に回動自在に設けられ、カートリッジホルダの一部は他部に対して外側にスライド可能で、その一部は前記スライダに連結され、このスライダが第２の状態にスライドされると前記一部は、第２のターンテーブルに装着される第２のディスクに対して障害とならないように外側にスライドされる。さらに、前記クランパメカ部は前記カートリッジホルダの上面部下面に上下方向に回動自在に取付けられ、バネによりカートリッジホルダ側（上方）に回動される一方、前記スライダが第２の状態にスライドされると、そのスライダに形成された前記クランパ押し部により下方に押し下げられる。
【００１１】
また、前記第２のターンテーブルメカ部の主要部は、上昇すると、上方に位置する前記カートリッジホルダの上面部内側に形成された収容部に、同カートリッジホルダによる第１のディスク保持に対して障害とならないように格納され、前記クランパメカ部はバネによりカートリッジホルダ側に回動されると前記収容部に格納される。
【００１２】
【発明の実施の形態】
次に添付図面を参照して本発明によるディスク再生装置の実施の形態を詳細に説明する。図１ないし図７は本発明のディスク再生装置の実施の形態を示す図で、図１は全体の分解斜視図、図２はＭＤ装着状態での各部品の関係を横から見た図、図３は図２を正面から部分的に見た図、図４は図２をカバーを開けた状態で示す図、図５はＣＤ装着状態での各部品の関係を示す横から見た図、図６は図５を正面から部分的に見た図、図７は図６をカバーを開けた状態で示す図である。
【００１３】
これらの図、特に図１を参照して、１０は四角形の薄い下部ケース（ベース部と言うこともできる）で、上面にはＭＤ用ターンテーブル１１および光ピックアップ１２が配置される。この下部ケース１０上には、カバー２０が上方に回動自在に設けられる。このカバー２０は、後端部両側に設けられた突出片２１に開けられた穴２２に、下部ケース１０後端両側面内側に設けられた軸１３を嵌合させることにより、下部ケース１０に、その後端部を支点に上方に回動自在に取付けられる。このカバー２０の上面部内面には、後述するカートリッジホルダ３０等を下方に押すための板バネ２３が左右一対取付けられる。また、カバー２０の後端部垂直面中央には、後述するスライダ４０の操作軸４１を外部に導出させるための横長の穴２４が形成される。
【００１４】
このようなカバー２０と下部ケース１０間には、ＭＤを保持するためのカートリッジホルダ３０が設けられる。このカートリッジホルダ３０は、後端両側部に設けられた穴３１に前記下部ケース１０の軸１３を嵌合させることにより、下部ケース１０に、カバー２０と同様に、後端部を支点に上下方向に回動自在に取付けられる。
【００１５】
このカートリッジホルダ３０の、両側部を除く部分の上面部３２は上方に突出しており、その内側（下側）は、後述するＣＤターンテーブルメカ部５０およびクランパメカ部６０の収容部３３となっている。すなわち、ＭＤ再生時は、ＣＤ再生用のＣＤターンテーブルメカ部５０およびクランパメカ部６０は不要であり、それらがカートリッジホルダ３０のＭＤ保持部に対して障害とならないように前記収容部３３に格納するのである。
【００１６】
カートリッジホルダ３０は、その大部分を構成する左側カートリッジホルダ３４と、カートリッジホルダ３０の一部を構成する右側カートリッジホルダ３５からなる。右側カートリッジホルダ３５は、上面部３５ａに設けられた３本の軸３６を、左側カートリッジホルダ３４に形成した３つの長穴３７に挿入保持することにより、左側カートリッジホルダ３４に対して左右にスライド自在に取付けられる。さらに、右側カートリッジホルダ３５は、前記３本の軸３６のうち１本（軸３６ａ）が後述するスライダ４０に穴部４２で固定されることにより、このスライダ４０に連動して左右にスライドされる。すなわち、右側カートリッジホルダ３５は、スライダ４０に連動して左側（左側カートリッジホルダ３４側）にスライドされると、左側カートリッジホルダ３４とともに正規のカートリッジホルダ３０を構成するが、この右側カートリッジホルダ３５にはその内側にＭＤのシャッタを開くためのメカなどが取付けられていて、ＣＤ再生時にはＣＤに対して障害となるので、ＣＤ再生時にはＣＤに対して障害とならないように、スライダ４０に連動させて右側（外側）にスライドさせるのである。なお、この実施形態の説明で、右、左側、後方などの、位置や方向を表わす言葉が使用されているが、これは、特に図１を参照して本発明の実施の形態のディスク再生装置が容易に理解されるように便宜的に使用されているのであって、この言葉に本発明の技術的範囲が限定されるものではない。
【００１７】
カートリッジホルダ３０のうち左側カートリッジホルダ３４には、スライダ４０が左右にスライド自在に取付けられる。このスライダ４０は逆Ｌ形の金属板からなり、水平板４０ａが左側カートリッジホルダ３４の上面部３４ａに重なり、垂直板４０ｂは、左側カートリッジホルダ３４の後端の縁から左側カートリッジホルダ３４の下側に垂れ下がる。水平板４０ａには長穴４３が形成され、この長穴４３に、左側カートリッジホルダ３４の上面部に突設された軸３８が係合される。これにより、スライダ４０は左側カートリッジホルダ３４に対して左右にスライド自在に取付けられている。一方、垂直板４０ｂからは後方に操作軸４１が突出され、この操作軸４１は前記カバー２０に形成された穴２４を介してカバー２０の後側外部に導出される。そして、操作軸４１には、カバー２０の後側外部で操作つまみ２５が取付けられる。また、垂直板４０ｂには、スライダ４０のスライドに伴い後述するＣＤターンテーブルメカ部５０を昇降するための階段状穴４４（ＣＤターンテーブルメカ昇降部）が左右一対形成される。ここで、階段状穴４４は、斜め部の上端、下端に水平部分を設けたような形状の穴であり、これに軸を挿入して穴が左右に動くと、斜め部により軸を昇降させることができる。
【００１８】
これに対して、左側カートリッジホルダ３４の上面部３４ａに重なったスライダ４０の水平板４０ａには、側縁部の一部から下方にＬ形に垂れ下がってＣＤターンテーブルメカ引掛け部４５が設けられるとともに、平面部の一部を下方に突出させてクランパ押し部４６が形成される。これら引掛け部４５および押し部４６は、左側カートリッジホルダ３４の上面部３４ａに形成された長穴３９を介して左側カートリッジホルダ３４の上面部下方に突出される。さらに、スライダ４０の水平板４０ａ前縁部には左右一対凹部４７が形成される。これに対して、左側カートリッジホルダ３４の上面部３４ａには、スライダ４０のスライドに伴い前記左右一対の凹部４７に弧状先端部が選択的に係合される板バネ７１がネジ７２により固定される。この板バネ７１の弧状先端部が、スライダ４０のスライドに伴い左右一対の凹部４７に選択的に係合されることにより、スライダ４０は、左側にスライドされた状態、または右側にスライドされた状態に固定される。
【００１９】
下部ケース１０の上面に設けられたＭＤ用ターンテーブル１１と左側カートリッジホルダ３４間には、上下に昇降自在にＣＤターンテーブルメカ部５０が設けられる。このＣＤターンテーブルメカ部５０は、ＣＤ用ターンテーブル５１と、ターンテーブルホルダ５２と、水平支持板５３と、基部垂直板５４とからなり、ＣＤ用ターンテーブル５１がターンテーブルホルダ５２に回転自在に保持され、ターンテーブルホルダ５２が水平支持板５３の先端にネジ５５で固定され、水平支持板５３の後端部がシャフト５６とワッシャ５７で基部垂直板５４の上端部に上方に回動自在に取付けられる。ここで、水平支持板５３は、基部垂直板５４との間に当接部を有することにより、水平状態より下方へは回動しないようになっている。
【００２０】
そして、基部垂直板５４が下部ケース１０の後端部内に昇降自在に保持されている。さらに、基部垂直板５４には、後側の面に左右２本、軸５８が設けられており、この軸５８が下部ケース１０の後端垂直面に開けられた縦長の穴１４を貫通した後、スライダ４０に形成された２つの階段状穴４４にそれぞれ挿入される（２つの階段状穴４４を形成したスライダ４０の垂直板４０ｂは、組立てられた状態では、下部ケース１０の後端垂直面の後側に位置する）。したがって、ＣＤターンテーブルメカ部５０は、スライダ４０が左右にスライドされると、階段状穴４４と軸５８とによって昇降駆動され、下降状態ではＣＤ用ターンテーブル５１がＭＤ用ターンテーブル１１の上に重なり、上昇状態ではＣＤ用ターンテーブル５１がＭＤ用ターンテーブル１１からその上方に分離される。
【００２１】
このようなＣＤターンテーブルメカ部５０の上方に位置して左側カートリッジホルダ３４の上面部下面には、クランパメカ部６０が上下方向に回動自在に取り付けられる。このクランパメカ部６０は、クランパ６１と、クランパホルダ６２と、支持片６３とからなり、クランパ６１がクランパホルダ６２に回転自在に保持され、クランパホルダ６２が支持片６３の先端にネジ６４で固定され、支持片６３の後端部が左側カートリッジホルダ３４の上面部下面取付け部６８にシャフト６５とワッシャ６６で上下方向に回動自在に取付けられる。このようなクランパメカ部６０は、支持片６３の取付け部６３ａと左側カートリッジホルダ３４の上面部取付け片６９間に張設されたバネ６７により左側カートリッジホルダ３４側に引張られて（上方に回動されて）、カートリッジホルダ３０の収容部３３に格納されるが、スライダ４０が右方向にスライドされると、このスライダ４０に形成されたクランパ押し部４６が支持片６３に当接して、この支持片６３を下方に回動させることにより、クランパ６１が押し下げられる。
【００２２】
このように構成されたディスク再生装置においては、図１において、操作つまみ２５を右側にスライドさせるとＣＤ再生状態となり、操作つまみ２５を左側にスライドさせるとＭＤ再生状態となる。
【００２３】
これらを詳細に説明すると、いま、操作つまみ２５を右側にスライドさせると、一体にスライダ４０が右側にスライドする。すると、スライダ４０に形成されたクランパ押し部４６がクランパメカ部６０の支持片６３に当接して、この支持片６３を下方に回動させるので、クランパ６１が押し下げられる。また、スライダ４０と一体に右側カートリッジホルダ３５が右側（外側）にスライドするので、後述する装着されたＣＤに対して右側カートリッジホルダ３５が障害にならなくなる。
【００２４】
さらに、スライダ４０が右側にスライドすると、このスライダ４０に形成された階段状穴４４と、この階段状穴４４に挿入された軸５８とによりＣＤターンテーブルメカ部５０が下降される。したがって、ＣＤターンテーブルメカ部５０のＣＤ用ターンテーブル５１が、下部ケース１０上のＭＤ用ターンテーブル１１に重なる。その結果、下部ケース１０内の図示しないモータでＭＤ用ターンテーブル１１を回転させれば、このＭＤ用ターンテーブル１１を介してその上のＣＤ用ターンテーブル５１が回転されることになる。
【００２５】
そして、このような状態で図７に示すようにカバー２０を開け、カートリッジホルダ３０を上方に回動させれば、ＣＤ用ターンテーブル５１に図示しないＣＤを装着することが可能となり、その後図５および図６に示すようにカバー２０を閉じ、カートリッジホルダ３０を下方に水平状態に回動させれば、クランパ６１が押し下げられているので、このクランパ６１がＣＤ用ターンテーブル５１上のＣＤ上に重なり、ＣＤを押さえつける。そして、そのような状態で下部ケース１０内のモータを動作させてＣＤを回転させながら、ＣＤに記録されている情報を光ピックアップ１２で読取ることにより、ＣＤの再生が行われる。
【００２６】
一方、図１で操作つまみ２５を左側にスライドさせると、一体にスライダ４０が左側にスライドする。すると、スライダ４０と一体に右側カートリッジホルダ３５が左側（内側）にスライドするので、右側カートリッジホルダ３５は左側カートリッジホルダ３４とともに正規のカートリッジホルダ３０を構成する。
【００２７】
また、スライダ４０が左側にスライドすると、スライダ４０に形成されたクランパ押し部４６がクランパメカ部６０の支持片６３から外れるので、クランパメカ部６０がバネ６７により上方に回動され、クランパメカ部６０はカートリッジホルダ３０の収容部３３に格納される。
【００２８】
さらに、スライダ４０が左側にスライドすると、このスライダ４０に形成された階段状穴４４と、この階段状穴４４に挿入された軸５８とによりＣＤターンテーブルメカ部５０が上昇される。したがって、ＣＤ用ターンテーブル５１はＭＤ用ターンテーブル１１から上方に分離され、このＣＤ用ターンテーブル５１を含むＣＤターンテーブルメカ部５０の主要部（ＣＤ用ターンテーブル５１、ターンテーブルホルダ５２および水平支持板５３）は、前記クランパメカ部６０と同様にカートリッジホルダ３０の収容部３３に格納される。
【００２９】
さらに、スライダ４０が左側にスライドすると、このスライダ４０に設けたＣＤターンテーブルメカ引掛け部４５が図２および図３に示すように、上昇したＣＤターンテーブルメカ部５０の水平支持板５３の下に係合される。したがって、図４に示すようにカバー２０を開け、カートリッジホルダ３０を上方に回動させると、ＣＤターンテーブルメカ部５０の主要部（ＣＤ用ターンテーブル５１、ターンテーブルホルダ５２および水平支持板５３）も、前記引掛け部４５によって、カートリッジホルダ３０の収容部３３に格納された状態でカートリッジホルダ３０と一体に上方に回動する（もちろん、カートリッジホルダ３０に取付けられたクランパメカ部６０も収容部３３に格納された状態でカートリッジホルダ３０と一体に上方に回動する）。これにより、カバー２０を開け、カートリッジホルダ３０を上方に回動させれば、ＣＤターンテーブルメカ部５０およびクランパメカ部６０に邪魔されることなく、カートリッジホルダ３０にＭＤを挿入することが可能となる。その後、カバー２０を閉め、カートリッジホルダ３０を下方に水平状態に回動させれば、カートリッジホルダ３０に挿入されているＭＤを下部ケース１０上のＭＤ用ターンテーブル１１に装着させることができる。そして、モータによりＭＤ用ターンテーブル１１およびそれに装着されたＭＤを回転させながら、ＭＤに記録されている情報を光ピックアップ１２で読取れば、ＭＤの再生が行われる。
【００３０】
以上のように、上記のディスク再生装置では、ＣＤ再生時は、ＭＤ用ターンテーブル１１の上にＣＤ用ターンテーブル５１を重ね、そのＣＤ用ターンテーブル５１にＣＤを装着させる。したがって、平面面積は、ＭＤあるいはＣＤ１枚分程度でよく、小型化を図ることができる。また、モータは１つのみ備えてＭＤ用ターンテーブル１１を回転させればよいので、コストダウンを図ることができる。さらに、上記のディスク再生装置によれば、装置外部の操作つまみ２５の操作でＣＤ再生状態とＭＤ再生状態とにメカを簡単に切替えることができる。
【００３１】
なお、上記の実施の形態では、露出状態のディスクであるＣＤと、カートリッジ収納形式のディスクであるＭＤとを選択的に再生する場合について説明したが、本発明のディスク再生装置は、露出状態およびカートリッジ収納形式の同様の他のディスクを再生することができる。さらに、本発明のディスク再生装置は、再生に加えて録音可能とすることができる。
【００３２】
【発明の効果】
以上詳細に説明したように本発明のディスク再生装置によれば、平面面積を小さくして小型化を図ることができるとともに、コストダウンを図ることができる。
【図面の簡単な説明】
【図１】本発明によるディスク再生装置の実施の形態を示す図で、全体の分解斜視図。
【図２】本発明によるディスク再生装置の実施の形態を示す図で、ＭＤ装着状態での各部品の関係を横から見た図。
【図３】本発明によるディスク再生装置の実施の形態を示す図で、図２を正面から部分的に見た図。
【図４】本発明によるディスク再生装置の実施の形態を示す図で、図２をカバーを開けた状態で示す図。
【図５】本発明によるディスク再生装置の実施の形態を示す図で、ＣＤ装着状態での各部品の関係を示す横から見た図。
【図６】本発明によるディスク再生装置の実施の形態を示す図で、図５を正面から部分的に見た図。
【図７】本発明によるディスク再生装置の実施の形態を示す図で、図５をカバーを開けた状態で示す図である。
【図８】従来の考えられるディスク再生装置を示す斜視図。
【符号の説明】
１０  下部ケース
１１  ＭＤ用ターンテーブル
２５  操作つまみ
３０  カートリッジホルダ
４０  スライダ
５０  ＣＤターンテーブルメカ部
５１  ＣＤ用ターンテーブル
６０  クランパメカ部
６１  クランパ
【図１】
0003765746.tif 000002
【図２】
0003765746.tif 000003
【図３】
0003765746.tif 000004
【図４】
0003765746.tif 000005
【図５】
0003765746.tif 000006
【図６】
0003765746.tif 000007
【図７】
0003765746.tif 000008
【図８】
0003765746.tif 000009